(57)【要約】      （修正有）【課題】以下の機能を有した直管型形蛍光管形ＬＥＤ照明装置を提供する。（１）ピンタイプキャップを口金形に簡単に替えられるものにすること、（２）ＬＥＤ照明装置を確実に連結接続出来ること、（３）電気的にも安全な装置とすること、（４）落下防止機能を持たせること。【解決手段】直管型口金形ＬＥＤ照明装置１のアルミニューム放熱筒とプラスチック部の両端に、ねじ込み口金４１やソケット４２をロック出来る穴２ａ等を持つ構造とする。さらに、アルニューム放熱筒の放熱フィン間隙２２に吊り下げ金物を嵌め込め、接地線取り出し穴２ａｂを設ける。【選択図】図１
0003167618.tif 000002
【実用新案登録請求の範囲】
【請求項１】
点灯回路内蔵の直管型蛍光管形ＬＥＤ照明装置において、片側にねじ込み口金４１を有し、もう一方の片側にねじ込みソケット４２を有することを特徴とする直管型口金形ＬＥＤ照明装置、
【請求項２】
点灯回路内蔵の直管型口金形ＬＥＤ照明装置において、ねじ込み口金４１・ソケット４２をロックさせる為のキャップ・ロック穴２ａと３ａを有することを特徴とする請求項１に記載の直管型口金形ＬＥＤ照明装置、
【請求項３】
点灯回路内蔵の直管型口金形ＬＥＤ照明装置において、アルミニューム放熱筒内部に設けた点灯回路２０に電源を供給する配線方法において、ねじ込み口金４１・ソケット４２を簡単に取り外すことが出来るコネクターを、複数個有しすることを特徴とする請求項１に記載の直管型口金形ＬＥＤ照明装置、
【請求項４】
点灯回路内蔵の直管型蛍光管形ＬＥＤ照明装置において、アルミニューム放熱筒内部から接地配線を取り出せる穴２ａｂを有することを特徴とする請求項１に記載の直管型口金形ＬＥＤ照明装置、
【請求項５】
点灯回路内蔵の直管型蛍光管形ＬＥＤ照明装置において、アルミニューム放熱筒外周に放熱フィン２３を有し、吊り下げ金具９を嵌め込む為の放熱フィン間隙２２を有することを特徴とする請求項１に記載の直管型口金形ＬＥＤ照明装置。
【考案の詳細な説明】
【技術分野】
【０００１】  本考案の内容は、直管型口金形ＬＥＤ照明装置の構造に関するものである。
【背景技術】
【０００２】  近年、白熱式電球に代わりＬＥＤ電球が普及してきた。同時に直管型蛍光管形ＬＥＤ照明装置が普及し始めた。ＬＥＤ電球はコンパクトタイプ電球形蛍光管と比較して光束が足りなく、必要照度が得られない場合がある。【０００３】  点灯回路内蔵の直管型蛍光管形ＬＥＤ照明装置により、必要な照度が出せる様になってきたことにより、電球の標準口金サイズに合わせ使用出来るものが求められる様になってきた。【０００４】  特に点灯回路内蔵の直管型蛍光管形ＬＥＤ照明装置は、蛍光灯安定器の様な外部点灯装置が不要であり、直接商用電源で点灯出来るので、利用方法が拡大してきた。
【特許文献１】登録実用新案第３１６４４３８号  蛍光管形ＬＥＤ照明の落下防止装置
【考案の開示】
【考案が解決しようとする課題】
【０００５】  アルミニューム放熱筒と光放射面にプラスチックカバーを使用した直管型蛍光管形ＬＥＤ照明装置において、簡単に電源供給が行えること。【０００６】  ＬＥＤ素子は長寿命であり、構成部品を交換することで、ＬＥＤ照明装置を安定して長寿命を確保出来る構造とすること。【０００７】  直管型蛍光管形ＬＥＤ照明装置を、複数個連結して使用できること。【０００８】  通常のピンタイプキャップ式直管型蛍光管形ＬＥＤ照明装置に、転用できるものとすること。
【課題を解決するための手段】  以下図面により説明する。【０００９】  図１に示す如く、口金形ＬＥＤ照明装置１はアルミニューム放熱筒２の中にＬＥＤ素子を点灯させる為の回路が内蔵されているタイプであって、ねじ込み形口金４１とソケット４２を備えたものである。光放射面にはプラスチックカバー３が採用されている。必要に応じて、安全のため接地線取り出し口２ａｂを設けた。【００１０】  図２の断面図に示す如く、口金形ＬＥＤ照明装置１は、そのアルミニューム放熱筒２の中に点灯回路２０が内蔵され、ＬＥＤ素子５を基盤５１に乗せ、アルミニューム放熱筒２の面２１に接触させ熱伝導によりＬＥＤ素子５からの発生熱を放熱させる構造となっている。【００１１】  図３の縦詳細断面図に示す如く、口金形ＬＥＤ照明装置１の本体から、ねじ込み形口金４１とソケット４２を取り外して、図４の側面図に示す如く、通常の蛍光管形のピンタイプキャップ４１ａと４２ａを取り替えて、コネクター４２２ａ、４２２ｂ、４１１ａ、４１１ｂを繋ぎ換えることで、従来のピンタイプキャップ式直管型蛍光形ＬＥＤ照明装置として使用出来るものとなる。【００１２】  図３の縦詳細断面図に示す如く、４１ｅから供給された電気は４１１ａのコネクターを流れ４３ａ、２０１ａ、そして２０に電源供給された後、４３ａ、４２２ａのコネクターから４２ｅに流れる。
一方４１から供給された電気は４１１ｂのコネクターから、４３ｂ、２０１ｂと流れ、２０に電気を供給した後、４３ｂ、４２２ｂのコネクターから、４２に流れる。【００１３】  図４の縦詳細断面図に示す如く、ピンタイプキャップ式直管型蛍光形ＬＥＤ照明装置として使用する場合、電源配線４３ａはコネクター４１１ａでピン４１ｄに繋ぎ換えれば良く、電源配線４３ｂはコネクター４２２ｂでピン４２ｄに接続すれば良い。【００１４】  図５に口金形ＬＥＤ照明装置１の使用例を示した。  口金４１をソケット６の６１にねじ込んで電源供給できる。ＬＥＤ電球７を反対側のソケット４２にねじ込めば、口金形ＬＥＤ照明装置１と同時にＬＥＤ電球７も点灯できる。【００１５】  図６に口金形ＬＥＤ照明装置１のソケット４２にソケットアダプター８を４２にねじ込んでプラグ６４を差し込めば電源を取り出すことも出来る。【００１６】  図７の如く、内部電線の許容電流以内で複数の口金形ＬＥＤ照明装置１を連結することができる。図８にねじ込み口金４１・ソケット４２とロックできる構造の詳細の断面図を示した。
【考案の効果】
【００１７】  通常の直管型蛍光管形ＬＥＤ照明装置の両端のピンタイプキャップを替えることで、簡単に口金形ＬＥＤ照明装置となるので、広い用途で使用出来る。【００１８】  本校案の口金形ＬＥＤ照明装置は点灯回路が内蔵されているので、照明器具安定器内蔵函が不要になり、移動用として大変便利なものとなる。【００１９】  通常のダウンライトの口金にもねじ込めるので、吊り下げて異なる照明効果を得ることができる。【００２０】  図９に示す如く、吊り下げ金具９を放熱フィン２２に嵌め込み、確りと吊り下げることが出来るので、地震時の落下防止にも役立つものとなる。
【考案を実施するための最良の形態】
【００２１】  本考案の口金形ＬＥＤ照明装置１の３の部分に強固なプラスチックのポリカボネートを採用すると良い。【００２２】  ねじ込み口金サイズはＥ２６、Ｅ２７の標準サイズのものを採用すると良い。
【実施例】
【００２３】図５、図６、図７に実施例を示した。
【産業上の利用可能性】
【００２４】特になし。
【図面の簡単な説明】
【００２５】
【図１】直管型口金形ＬＥＤ照明装置
【図２】直管型口金形ＬＥＤ照明装置の詳細断面図
【図３】直管型口金形ＬＥＤ照明装置の縦詳細断面図
【図４】ピンタイプキャップ式直管型蛍光管形ＬＥＤ照明装置の縦詳細断面図
【図５】使用例図面
【図６】使用例図面
【図７】直管型口金形ＬＥＤ照明装置の連結事例図面
【図８】直管型口金形ＬＥＤ照明装置のキャップ・ロック詳細構造図面
【図９】直管型口金形ＬＥＤ照明装置の吊り下げ事例図面
【符号の説明】
【００２６】１．直管型口金形ＬＥＤ照明装置
２．アルニューム放熱筒
２１．ＬＥＤ素子放熱面
２２．放熱フィン間隙
２３．放熱フィン
３．直管型口金形ＬＥＤ照明装置のプラスチックカバー
４１．直管型口金形ＬＥＤ照明装置のねじ込み口金
４１ａ．直管型蛍光管形ＬＥＤ照明装置電源供給ピンタイプキャップ
４２．直管型口金形ＬＥＤ照明装置のソケット
４２ａ．直管型蛍光管形ＬＥＤ照明装置電源供給ピンタイプキャップ
４１ｄ．４２ｄ．ピン
４１ｅ．口金部電源受け
４２ｅ．ソケット部電源受け
４１ｆ．直管型口金形ＬＥＤ照明装置のソケットキャップ
４１ｆａ．キャップ・ロック
４２ｆ．直管型口金形ＬＥＤ照明装置の口金キャップ
４２ｆａ．キャップ・ロック
４１ｈ．４２ｈ．キャップボディ
４３ａ．４３ｂ．電源配線
４２２ａ．４２２ｂ．４１１ａ．４１１ｂ  コネクター
２０１ａ、２０１ｂ  コネクター
２ａ．３ａ．キャップ・ロック穴
２ａｂ．接地線引きだし穴
５．ＬＥＤ素子
５１．ＬＥＤ素子基盤
２０．点灯回路
２１．アルニューム放熱筒のＬＥＤ素子放熱面
６．ソケット
６１．ソケットねじ込み部分
６２．ソケット・スウイッチ
６３．電源ケーブル
６４．電源プラグ
６５．接地線
７．ＬＥＤ電球
８．ソケットアダプター
８１．ソケットアダプターねじ込み部分
９．吊り下げ金具
【図１】
0003167618.tif 000003
【図２】
0003167618.tif 000004
【図３】
0003167618.tif 000005
【図４】
0003167618.tif 000006
【図５】
0003167618.tif 000007
【図６】
0003167618.tif 000008
【図７】
0003167618.tif 000009
【図８】
0003167618.tif 000010
【図９】
0003167618.tif 000011